(57)【要約】　　　（修正有）【課題】従来の自動車用日除けは、未使用時に日除け本体を車内の座席やボックス等に置くもので、案外邪魔であった。【解決手段】日除け本体１を自動車のサンバイザー４裏に取付け、折りたたみ式にする事で開閉を容易にし、収納を可能にした。【選択図】　　図１
0003098147.tif 000002
【実用新案登録請求の範囲】
【請求項１】
自動車のサンバイザーを利用して日除け本体を収納したり広げたりするフロント部日除け。
【請求項２】
未使用時は日除け本体をサンバイザーの裏部分に折りたたんで収納し、使用時にはサンバイザーを下ろして本体を広げ、左上と中央下部の吸盤等を使って本体をとめる事が出来るフロント部日除け。
【請求項３】
本体はマジックテープ等の留め具を使ってサンバイザー裏部に取り付けられるフロント部日除け。
【請求項４】
走行中、通常のサンバイザー使用時に本体が開いて落ちないようマジックテープ、その他フック等を使って本体をとめておく事が出来るフロント部日除け。
【請求項５】
本体の素材は厚紙、段ボール、プラスチック、布、その他シート等を使用し、下広がりでフロントガラススの大きさにすると共に、収納時にはサンバイザー裏に納まるような大きさに折りたためるフロント部日除け。
【考案の詳細な説明】
【０００１】
【考案の属する技術分野】
本考案は自動車のフロント部における日除け商品に関する。
【０００２】
【従来の技術】
自動車のフロント用日除けとしては段ボール、シート等を使用し、サンバイザーに掛け得える袋状の掛け部を有する自動車用日除け等で、収納時には折りたたんだり丸めたりして運転席以外の場所（助手席や後部座席及びボックス等）に置いておくものがある。その他、サンバイサー自体が日除け装置を備えたものがある。（例えば、実開平０６−０６０５０５号広報及び実開平０６−０５９１１１号広報参照）
【０００３】
【考案が解決しようとする課題】
未使用時は助手席や後部座席等に置いたり、小さくたたんでボックスに入れたりするのでは案外、邪魔になったり扱いにくかったりする欠点があった。又、日除け装置を備えたサンバイザーではハイコストになる。
【０００４】
【課題を解決するための手段】
本考案は、サンバイザーの裏に日除け本体を折りたたんで収納するので未使用時に邪魔にならない。又、本体を広げる場合、或いは折りたたむ場合サンバイサー部分は固定されているので扱いやすい。さらに、部材は従来の日除け本体に、サンバイザーに取り付ける為のマジックテープと本体が開かないように留めるマジックテープかフックを加えただけなので低コストで済む。
【０００５】
【実施例】
図１で示すように本体使用時は運転席のサンバイザーを下ろし、折りたたんでいた本体（１）を広げて吸盤（２）（３）でフロントガラスに吸着してとめる。
【０００６】
未使用時は本体（１）をサンバイザーの裏側にたたみ込んで、そのバイザーを押し上げれば図２で示すような状態に収まり、通常の走行運転が可能となる。
【０００７】
本体（１）は図３で示すマジックテープ（５）（６）の２ケ所でサンバイザーに巻きつけて固定する。
【０００８】
又、サンバイザー本来の使用目的である走行中の日除け使用時に、折りたたんである本体（１）が散けて下に落ちてこないよう、図３で示す通りマジックテープ（７）で本体部分をとめておく。
【０００９】
本体を広げた時の状態は図４で示す通りである。破線部分は谷折り、実線部分は山折りである。又、本体を折りたたむ時の状況を図５に示した。
【００１０】
【考案の効果】
未使用時は本体をサンバイザーの裏に収納出来、邪魔にならないため置場所に困らない。又、本体の右上がサンバイザーに取付けられ固定しているので開閉が容易に行なえる。
【図面の簡単な説明】
【図１】本考案の日除け使用時を示す全体の正面図である。
【図２】日除け本体の未使用時（収納時）を示す正面図である。
【図３】日除け本体を折りたたんだ時のマジックテープの状況を示した図である。
【図４】日除け本体開閉時の山折れ線、谷折れ線を示した全体図である。
【図５】日除け本体の開閉途中を表した図である。
【符号の説明】
１・・・日除け本体
２・・・吸盤
３・・・吸盤
４・・・サンバイザー
５・・・マジックテープ
６・・・マジックテープ
７・・・マジックテープ
８・・・フロントガラス
【図１】
0003098147.tif 000003
【図２】
0003098147.tif 000004
【図３】
0003098147.tif 000005
【図４】
0003098147.tif 000006
【図５】
0003098147.tif 000007
【手続補正書】
【提出日】平成15年3月26日(2003.3.26)
【手続補正１】
【補正対象書類名】明細書
【補正対象項目名】実用新案登録請求の範囲
【補正方法】変更
【補正の内容】
【実用新案登録請求の範囲】
【請求項１】
自動車のフロントガラスに相当する大きさの厚紙を備え、サンバイザーの大きさに折りたたんだり広げたりできるフロント部日除け。
【請求項２】
日除け本体の右上部に面ファスナーを２カ所取り付け、サンバイザーに巻きつけて日除け本体を固定することができる請求項１に記載のフロント部日除け。
【請求項３】
日除け本体の右上部に請求項２に記載の面ファスナー２カ所の中間に、更に面ファスナーを１カ所取付け、日除け本体を折りたたんで収納した時、この日除け本体自体を巻きつけて留めることが出来る請求項１または２に記載のフロント部日除け。
【請求項４】
日除け本体の左上部と中央下部の２カ所に吸盤を取り付けて、日除け本体を広げたときフロントガラスに吸着して留めることが出来る請求項１から３に記載のフロント部日除け。
【請求項５】
本体の素材は厚紙、段ボール、プラスチック、布、その他シート等を使用した請求項１から４に記載のフロント部日除け。
【手続補正２】
【補正対象書類名】明細書
【補正対象項目名】段落番号０００４
【補正方法】変更
【補正の内容】
【０００４】本考案は、サンバイザーの裏に日除け本体を折りたたんで収納するので未使用時に邪魔にならない。又、本体を広げる場合、或いは折りたたむ場合サンバイサー部分は固定されているので扱いやすい。さらに、部材は従来の日除け本体に、サンバイザーに取り付ける為の面ファスナーと本体が開かないように留める面ファスナー等を加えただけなので低コストで済む。


【手続補正３】
【補正対象書類名】明細書
【補正対象項目名】段落番号０００７
【補正方法】変更
【補正の内容】
【０００７】本体（１）は図３で示す面ファスナー（５）（６）の２ケ所でサンバイザーに巻きつけて固定する。


【手続補正４】
【補正対象書類名】明細書
【補正対象項目名】段落番号０００８
【補正方法】変更
【補正の内容】
【０００８】又、サンバイザー本来の使用目的である走行中の日除け使用時に、折りたたんである本体（１）が散けて下に落ちてこないよう、図３で示す通り面ファスナー（７）で本体部分をとめておく。


【手続補正５】
【補正対象書類名】明細書
【補正対象項目名】図面の簡単な説明
【補正方法】変更
【補正の内容】
【図面の簡単な説明】
【図１】本考案の日除け使用時を示す全体の正面図である。
【図２】日除け本体の未使用時（収納時）を示す正面図である。
【図３】日除け本体を折りたたんだ時の面ファスナーの状況を示した図である。
【図４】日除け本体開閉時の山折れ線、谷折れ線を示した全体図である。
【図５】日除け本体の開閉途中を表した図である。
【符号の説明】
１・・・日除け本体
２・・・吸盤
３・・・吸盤
４・・・サンバイザー
５・・・面ファスナー
６・・・面ファスナー
７・・・面ファスナー
８・・・フロントガラス




【手続補正書】
【提出日】平成15年6月16日(2003.6.16)
【手続補正１】
【補正対象書類名】明細書
【補正対象項目名】請求項１
【補正方法】変更
【補正の内容】
【請求項１】
自動車のフロントガラスに相当する大きさで、サンバイザーの大きさに折りたためる厚紙からなるフロント部日除け。